(57)【特許請求の範囲】
【請求項１】
ベース部と、このベース部の周縁に形成され、前記ベース部とともに接続対象物収容部を形成するフレーム部とを有するハウジングと、
前記接続対象物収容部に収容されたカード型の接続対象物を排出方向へ押すばね部を有し、前記ハウジングに保持されるコンタクトと、
前記ハウジングに回転かつ前記ハウジングの前後方向へ移動可能に装着され、前記接続対象物収容部に収容された前記接続対象物を前記コンタクトに押し付ける回転カバーと、
前記接続対象物収容部に前記接続対象物が収容されているか否かを検出する検出スイッチとを備えているコネクタにおいて、
前記検出スイッチが前記接続対象物収容部の周囲に配置され、
前記フレーム部は、前記回転カバーを閉じたとき前記回転カバーが有する金属係合部を受け容れるとともにその金属係合部の前記ハウジング前後方向の移動を許容する金属係合部用空間と、この金属係合部用空間に突出し、前記金属係合部を前記ハウジングの前方へ移動させたときのその金属係合部の前記回転カバーが開く方向への回転を規制する規制部とを、それぞれ前記接続対象物収容部の周囲に有し、
前記検出スイッチは、前記ハウジングの前記規制部の近傍に設けられた第１の端子部と、この第１の端子部の近傍に配置され、前記接続対象物収容部に前記接続対象物が収容されているとき前記金属係合部を介して前記第１の端子部と導通する第２の端子部とで構成され、
前記第１、第２の端子部の接点が前記金属係合部用空間内に配置され、
前記金属係合部が前記金属係合部用空間内で前記第１、第２の端子部の接点に接触して前記第１、第２の端子部が導通する
ことを特徴とするコネクタ。
【請求項２】
ベース部と、このベース部の周縁に形成され、前記ベース部とともに接続対象物収容部を形成するフレーム部とを有するハウジングと、
前記接続対象物収容部に収容されたカード型の接続対象物を排出方向へ押すばね部を有し、前記ハウジングに保持されるコンタクトと、
前記ハウジングに回転かつ前記ハウジングの前後方向へ移動可能に装着され、前記接続対象物収容部に収容された前記接続対象物を前記コンタクトに押し付ける回転カバーと、
前記接続対象物収容部に前記接続対象物が収容されているか否かを検出する検出スイッチとを備えているコネクタにおいて、
前記検出スイッチが前記接続対象物収容部の周囲に配置され、
前記フレーム部は、前記回転カバーを閉じたとき前記回転カバーが有する係合部を受け容れるとともにその係合部の前記ハウジング前後方向の移動を許容する係合部用空間と、この係合部用空間に突出し、前記係合部を前記ハウジングの前方へ移動させたときのその係合部の前記回転カバーが開く方向への回転を規制する規制部とを、それぞれ前記接続対象物収容部の周囲に有し、
前記検出スイッチは、前記ハウジングの前記規制部の近傍に設けられた第１の端子部と、この第１の端子部の近傍に配置され、前記第１の端子部に押し付けられている第２の端子部と、前記接続対象物収容部に前記接続対象物が収容されているとき前記第２の端子部を移動させて前記第１の端子部から引き離す前記係合部とで構成され、
前記第１の端子部の接点が前記係合部用空間内に配置され、
前記第２の端子部の前記接点に接触する接触ばね部と、この接触ばね部に連なる接触ばね駆動部とが、前記係合部用空間内に配置され、
前記係合部が前記係合部用空間内で前記接触ばね駆動部を持ち上げて前記第２の端子部を前記第１の端子部から引き離す
ことを特徴とするコネクタ。
【請求項３】
前記第１の端子部と前記第２の端子部とのうちの一方の端子部の有する一方の接点が変位可能であり、他方の端子部の有する他方の接点よりも下方に位置することを特徴とする請求項１記載のコネクタ。
【請求項４】
前記第２の端子部の前記接触ばね部が変位可能であり、前記第１の端子部の接点よりも上方に位置し、前記回転カバーが閉じた状態で前記ハウジングの前方へ移動したとき、前記接触ばね駆動部が前記係合部に接触することを特徴とする請求項２記載のコネクタ。
【発明の詳細な説明】
【技術分野】
【０００１】
この発明はコネクタに関し、特にＩＣカード等のカード型の一方の接続対象物をプリント基板等の他方の接続対象物に接続するコネクタに関する。
【背景技術】
【０００２】
従来、カードコネクタ本体と複数のコンタクトとカード検知手段とカードホルダとからなるカードコネクタが知られている（下記特許文献１参照）。
【０００３】
カードコネクタ本体は合成樹脂等の絶縁材で形成され、ベース部と第１〜３のフレーム部とを有する。
【０００４】
ベース部の長手方向の一端部には複数の第１の開口部が形成され、ベース部の長手方向の他端部にも複数の第２の開口部が形成されている。これらの開口部はベース部の短手方向に沿って並んでいる。ベース部の一側縁部には第３の開口部が形成されている。第３の開口部はベース部の長手方向に沿って延びている。第３の開口部は後述するカード収納空間に対向している。
【０００５】
第１、２のフレーム部はそれぞれベース部の長手方向の一端部の上面の角部に設けられている。第３のフレーム部はそれぞれベース部の長手方向の他端部の上面に設けられている。３つのフレーム部とベース部とでカード収納空間が形成されている。３つのフレーム部はカード収納空間に収容されたＩＣカードの位置決めをする。
【０００６】
複数のコンタクトはベース部の短手方向に沿って２列に並べられている。一方の列の複数のコンタクトの中間部はそれぞれベース部に保持されている。これらのコンタクトの一端部は第１の開口部に弾性変形可能に配置され、その一端部に形成された接点はベース部の上面から突出し、他端部はベース部の一端部から突出している。他方の列の複数のコンタクトの中間部はそれぞれベース部に保持されている。これらのコンタクトの一端部は第２の開口部に弾性変形可能に配置され、その一端部に形成された接点はベース部の上面から突出し、他端部はベース部の他端部から突出している。
【０００７】
カード検出手段は第１のカード検知接片と第２のカード検知接片とで構成されている。
【０００８】
第１のカード検知接片の中間部はベース部に保持されている。第１のカード検知接片の一端部は第３の開口部に弾性変形可能に配置され、その一端部に形成された接点はベース部の上面から突出し、他端部はベース部の一端部から突出している。
【０００９】
第２のカード検知接片の中間部はベース部に保持されている。第２のカード検知接片の一端部は第３の開口部に弾性変形可能に配置され、その一端部に形成された接点はベース部の上面から突出し、第１のカード検知接片の接点の上方に位置し、他端部はベース部の他端部から突出している。第２のカード検知接片の接点近傍には絶縁部材が装着されている。
【００１０】
カードホルダは収納位置と挿脱位置との間を揺動可能なように、ベース部の他端部に回転可能に取り付けられている。カードホルダはＩＣカードをその長手方向に沿って挿抜可能なようにＩＣカードの両側縁を保持する。
【００１１】
このカードコネクタは回路基板上に実装される。このとき、第１、第２のカード検知接片の他端部は回路基板上の制御回路に接続される。
【００１２】
このカードコネクタを用いてＩＣカードを回路基板に接続するには、まず、カードホルダを挿脱位置まで回転させる。
【００１３】
次に、カードホルダにＩＣカードを挿入する。
【００１４】
その後、カードホルダを収納位置まで回転させる。
【００１５】
カードホルダが収納位置まで回転すると、第２のカード検知接片に設けられた絶縁部材がＩＣカードのコンタクト面によって押圧され、それに伴い第２のカード検知接片の接点が第１のカード検知接片に接触する。
【００１６】
その結果、ＩＣカードがカード収納空間に収納されたことが検出される。
【００１７】
また、カードホルダが収納位置まで回転すると、カードホルダはロック機構によってカードコネクタ本体にロックされる。
【００１８】
カードホルダがカードコネクタ本体にロックされると、ＩＣカードのコンタクト面に形成された複数の導通ランドがそれぞれ対応するコンタクトの接点に接触する。
【００１９】
その結果、ＩＣカードがカードコネクタを通じて回路基板に電気的に接続される。
【特許文献１】特開２００２−３４３５０５号公報（段落０００６〜０００９、００１２〜００１４、図２、３参照）
【発明の開示】
【発明が解決しようとする課題】
【００２０】
上述のカードコネクタでは、ＩＣカードのコンタクト面によって第１、２のカード検知接片の接点が開閉されるように構成されているので、ＩＣカードと第１，２のカード検知接片とがカードコネクタの厚さ方向で並ぶ。
【００２１】
このため、従来のカードコネクタの厚みが厚くなるという不都合があった。
【００２２】
この発明はこのような事情に鑑みてなされたもので、その課題はコネクタの厚さを薄くすることができるコネクタを提供することである。
【課題を解決するための手段】
【００２３】
前述の課題を解決するため請求項１の発明は、ベース部と、このベース部の周縁に形成され、前記ベース部とともに接続対象物収容部を形成するフレーム部とを有するハウジングと、前記接続対象物収容部に収容されたカード型の接続対象物を排出方向へ押すばね部を有し、前記ハウジングに保持されるコンタクトと、前記ハウジングに回転かつ前記ハウジングの前後方向へ移動可能に装着され、前記接続対象物収容部に収容された前記接続対象物を前記コンタクトに押し付ける回転カバーと、前記接続対象物収容部に前記接続対象物が収容されているか否かを検出する検出スイッチとを備えているコネクタにおいて、前記検出スイッチが前記接続対象物収容部の周囲に配置され、前記フレーム部は、前記回転カバーを閉じたとき前記回転カバーが有する金属係合部を受け容れるとともにその金属係合部の前記ハウジング前後方向の移動を許容する金属係合部用空間と、この金属係合部用空間に突出し、前記金属係合部を前記ハウジングの前方へ移動させたときのその金属係合部の前記回転カバーが開く方向への回転を規制する規制部とを、それぞれ前記接続対象物収容部の周囲に有し、前記検出スイッチは、前記ハウジングの前記規制部の近傍に設けられた第１の端子部と、この第１の端子部の近傍に配置され、前記接続対象物収容部に前記接続対象物が収容されているとき前記金属係合部を介して前記第１の端子部と導通する第２の端子部とで構成され、前記第１、第２の端子部の接点が前記金属係合部用空間内に配置され、前記金属係合部が前記金属係合部用空間内で前記第１、第２の端子部の接点に接触して前記第１、第２の端子部が導通することを特徴とする。
【００２４】
上述のように検出スイッチが接続対象物収容部の周囲に配置されているので、ハウジングの厚さ方向で、検出スイッチと接続対象物収容部とが重ならない。
【００２５】
請求項２の発明は、ベース部と、このベース部の周縁に形成され、前記ベース部とともに接続対象物収容部を形成するフレーム部とを有するハウジングと、前記接続対象物収容部に収容されたカード型の接続対象物を排出方向へ押すばね部を有し、前記ハウジングに保持されるコンタクトと、前記ハウジングに回転かつ前記ハウジングの前後方向へ移動可能に装着され、前記接続対象物収容部に収容された前記接続対象物を前記コンタクトに押し付ける回転カバーと、前記接続対象物収容部に前記接続対象物が収容されているか否かを検出する検出スイッチとを備えているコネクタにおいて、前記検出スイッチが前記接続対象物収容部の周囲に配置され、前記フレーム部は、前記回転カバーを閉じたとき前記回転カバーが有する係合部を受け容れるとともにその係合部の前記ハウジング前後方向の移動を許容する係合部用空間と、この係合部用空間に突出し、前記係合部を前記ハウジングの前方へ移動させたときのその係合部の前記回転カバーが開く方向への回転を規制する規制部とを、それぞれ前記接続対象物収容部の周囲に有し、前記検出スイッチは、前記ハウジングの前記規制部の近傍に設けられた第１の端子部と、この第１の端子部の近傍に配置され、前記第１の端子部に押し付けられている第２の端子部と、前記接続対象物収容部に前記接続対象物が収容されているとき前記第２の端子部を移動させて前記第１の端子部から引き離す前記係合部とで構成され、前記第１の端子部の接点が前記係合部用空間内に配置され、前記第２の端子部の前記接点に接触する接触ばね部と、この接触ばね部に連なる接触ばね駆動部とが、前記係合部用空間内に配置され、前記係合部が前記係合部用空間内で前記接触ばね駆動部を持ち上げて前記第２の端子部を前記第１の端子部から引き離すことを特徴とする。
【００２６】
請求項３の発明は、請求項１記載のコネクタにおいて、前記第１の端子部と前記第２の端子部とのうちの一方の端子部の有する一方の接点が変位可能であり、他方の端子部の有する他方の接点よりも下方に位置することを特徴とする。
【００２７】
請求項４の発明は、請求項２記載のコネクタにおいて、前記第２の端子部の前記接触ばね部が変位可能であり、前記第１の端子部の接点よりも上方に位置し、前記回転カバーが閉じた状態で前記ハウジングの前方へ移動したとき、前記接触ばね駆動部が前記係合部に接触することを特徴とする。
【発明の効果】
【００２９】
この発明によれば、コネクタの厚さを薄くすることができる。
【発明を実施するための最良の形態】
【００３０】
以下、この発明の実施の形態を図面に基づいて説明する。
【００３１】
図１はこの発明の第１の実施形態に係るカード用コネクタの斜視図、図２Ａは図１に示すカード用コネクタの平面図、図２Ｂは同カード用コネクタの左側面図、図２Ｃは同右側面図、図２Ｄは同底面図、図３は図１に示すカード用コネクタの回転カバーを開いた状態を示す斜視図、図４はハウジングの金属係合部用空間の周辺を下方から見た状態を示す拡大斜視図である。
【００３２】
図３、４に示すように、このカード用コネクタ（コネクタ）はハウジング３と複数のコンタクト５、６と回転カバー７と検出スイッチ９と押え板１１とを備える。
【００３３】
ハウジング３はベース部３１とフレーム部３２とを有する。
【００３４】
ベース部３１はほぼ板状であり、２つの窓孔３１ａ，３１ｂが形成されている（図２Ｄ参照）。
【００３５】
フレーム部３２は枠状で図３に示すように第１フレーム構成部分３２１と第２フレーム構成部分３２２と第３フレーム構成部分３２３と第４フレーム構成部分３２４（図２Ｄ参照）とを有する。第１フレーム構成部分３２１はベース部３１の一側縁に結合されている。第２フレーム構成部分３２２はベース部３１の他側縁に結合されている。第３フレーム構成部分３２３はベース部３１の前縁に結合されている。第４フレーム構成部分３２４はベース部３１の後縁に結合されている。
【００３６】
第１フレーム構成部分３２１の前部には金属係合部用空間３２１ａが形成されている。金属係合部用空間３２１ａは第１フレーム３２１の上面、側面及び下面で開放されている。また、第１フレーム構成部分３２１の前部には金属係合部用空間３２１ａに突出する規制部３２１ｂが形成されている。第１フレーム構成部分３２１の後部には長穴３２１ｃが形成されている（図２Ｂ参照）。長穴３２１ｃは第１フレーム構成部分３２１の長手方向に沿って延びている。
【００３７】
第２フレーム構成部分３２２の前部にはロック部用空間３２２ａが形成されている（図３参照）。ロック部用空間３２２ａは第２フレーム３２２の上面、側面及び下面で開放されている。また、第２フレーム構成部分３２２の前部にはロック部用空間３２２ａに突出する規制部３２２ｂが形成されている（図２Ｃ参照）。第２フレーム構成部分３２２の後部には長穴３２２ｃが形成されている。長穴３２２ｃは第２フレーム構成部分３２２の長手方向に沿って延びている。
【００３８】
ベース部３１とフレーム部３２とでＩＣカード収容凹部（接続対象物収容部）３３が形成されている。ベース部３１とフレーム部３２とは合成樹脂で一体に成形されている。
【００３９】
複数のコンタクト５はそれぞれ埋込み部５１とばね部５２と接点５３と端子部５４とを有する。埋込み部５１はいわゆるモールドイン成形法によってベース部３１の前部の上面に埋め込まれている。ばね部５２は埋込み部５１の一端に結合されている。ばね部５２はベース部３１の窓孔３１ａの上方に位置し、ＩＣカード収容凹部３３に収容されている。接点５３はばね部５２の先端に結合されている。接点５３はベース部３１の窓孔３１ａの上方に位置し、ＩＣカード収容凹部３３から僅かに突出している（図２Ｂ、図２Ｃ参照）。端子部５４は埋込み部５１の他端に結合されている。端子部５４はフレーム部３２の第３フレーム構成部分３２３の下面部から前方へ突出している。複数のコンタクト５はハウジング３の左右方向（幅方向）に沿って並んでいる。
【００４０】
複数のコンタクト６はそれぞれ埋込み部６１とばね部６２と接点６３と端子部６４とを有する。埋込み部６１はモールドイン成形法によってベース部３１の中央部の上面部に埋め込まれている。ばね部６２は埋込み部６１の一端に結合されている。ばね部６２はベース部３１の窓孔３１ｂの上方に位置し、ＩＣカード収容凹部３３に収容されている。接点６３はばね部６２の先端に結合されている。接点６３はベース部３１の窓孔３１ｂの上方に位置し、ＩＣカード収容凹部３３から僅かに突出している。端子部６４はベース埋込み部６１の他端に結合されている。端子部６４はベース部３１の中央部下面から前方へ突出している。複数のコンタクト６はハウジング３の左右方向に沿って並んでいる。
【００４１】
回転カバー７はカバー本体７１と一対のアーム７２と金属係合部７３とロック部７５とを有する。回転カバー７は導電性を有する金属板に打抜き加工及び曲げ加工を施すことによって形成されている。
【００４２】
カバー本体７１はほぼ板状であり、複数の孔７１ａを有する。複数の孔７１ａは、ＩＣカード２０がＩＣカード収容凹部３３に収容されないで回転カバー７を閉位置に回転したとき、コンタクト５の接点５２を受け入れ、回転カバー７と接点５３とが接触するのを避ける（図１参照）。
【００４３】
一対のアーム７２はそれぞれカバー本体７１の側部に結合されている。一対のアーム７２はそれぞれその一端に設けた内向きのピン１３を長孔３２１ｃ，３２２ｃに挿入することによって第１、第２フレーム構成部分３２１，３２２に回転可能に取り付けられている。ピン１３はロック位置（図６Ａに示される長孔３２１ｃ，３２２ｃの前端の位置）とロック解除位置（図６Ｂに示される長孔３２１ｃ，３２２ｃの後端の位置）との間を移動可能である。したがって、ピン１３がロック解除位置にあるとき、回転カバー７は開位置（図３に示される位置）と閉位置（図１に示される位置）との間で回転可能である。また、回転カバー７が閉じているとき（閉位置にあるとき）、前後方向へ移動可能である。
【００４４】
カバー本体７１の一側部には板状の金属係合部７３が板状の結合部７４によって結合されている（図４参照）。
【００４５】
カバー本体７１の他側部には板状のロック部７５が板状の結合部７６によって結合されている。ロック部７５とフレーム部３２の規制部３２２ｂとで回転カバー７をハウジング３にロックするロック機構が構成されている（図３参照）。
【００４６】
検出スイッチ９は固定スイッチ片（第１の端子部）９１と可動スイッチ片（第２の端子部）９２と回転カバー７の金属係合部７３とで構成されている（図４参照）。検出スイッチ９はノーマルオープンタイプのスイッチである。
【００４７】
固定スイッチ片９１は埋込み部（図示せず）とアーム部９１ｂと接点９１ｃと端子部９１ｄとを有する。埋込み部はモールドイン成形法によってハウジング３の第３フレーム構成部分３２３に埋め込まれている。アーム部９１ｂは埋込み部の一端に結合されている。アーム部９１ｂはハウジング３の金属係合部用空間３２１ａ内に配置され、規制部３２１ｂの下面で支持されて、第１フレーム構成部分３２１の長手方向に沿って延びている。接点９１ｃはアーム部９１ｂの先端に結合されている。接点９１ｃは金属係合部用空間３２１ａ内に配置され、規制部３２１ｂの下面で支持されている。端子部９１ｄは埋込み部の他端に結合され、ハウジング３の第３フレーム構成部分３２３の下面部から前方へ突出している。
【００４８】
可動スイッチ片９２は、固定スイッチ片９１と左右方向で並ぶようにして設けられており、埋込み部（図示せず）とばね部９２ｂと接点９２ｃと端子部９２ｄとを有する。埋込み部はモールドイン成形法によってハウジング３の第３フレーム構成部分３２３に埋め込まれている。ばね部９２ｂは埋込み部の一端に結合されている。ばね部９２ｂはハウジング３の金属係合部用空間３２１ａ内に配置され、ほぼ第１フレーム構成部分３２１の長手方向に沿って延び、ハウジング３の上下方向に沿って弾性変形可能である。接点９２ｃはばね部９２ｂの先端に結合されている。接点９２ｃは金属係合部用空間３２１ａ内に配置され、固定スイッチ片９１の接点９１ｃよりも下に位置している。端子部９２ｄは埋込み部の他端に結合され、ハウジング３の第フレーム構成部分３２３の下面部から前方へ突出している。
【００４９】
図１に示すように、押え板１１はハウジング３の後部の上面に装着され、ＩＣカード収容凹部３３の後部を覆う。押え板１１は、その左右両端に設けた係止片１１ｂを第１及び第２フレーム構成部分３２１，３２２の側面に設けた係止突起３２１ｄ，３２２ｄに係止することにより、ハウジング３に装着されている。押え板１１は複数の孔１１ａを有する。ＩＣカード収容凹部３３にＩＣカード２０が収容されていないとき、孔１１ａはそれぞれコンタクト６の接点６３を収容し、接点６３と押え板１１との接触を避ける。
【００５０】
このカード用コネクタはプリント基板（図示せず）に実装される。カード用コネクタがプリント基板に実装されるとき、コンタクト５，６の端子部５４，６４はプリント基板の信号ラインに導通したランドに半田付けされる。また、固定スイッチ片９１の端子部９１ｄは、プリント基板の電源ラインに導通したランドに半田付けされる。可動スイッチ片９２の端子部９２ｄはプリント基板のグランドに導通したランドに半田付けされる。
【００５１】
図５Ａは図１に示すカード用コネクタの回転カバーを開いた状態を示す斜視図、図５Ｂは図５Ａに示すカード用コネクタのＩＣカード収容凹部にＩＣカードの一端部を挿入した状態を示す斜視図、図５Ｃは図５Ｂに示すカード用コネクタの回転カバーを閉じ、まだハウジングにロックしていない状態を示す斜視図、図５Ｄは図５Ｃに示すカード用コネクタの回転カバーをハウジングにロックした状態を示す斜視図である。
【００５２】
このカード用コネクタにＩＣカード２０を接続する手順について説明する。
【００５３】
まず、図５Ａに示すように、回転カバー７を完全に開く。このときピン１３，１３を長孔３２１ｃ，３２２ｃの後端まで移動させる。
【００５４】
次に、図５Ｂに示すように、ＩＣカード２０の挿入方向先端部を押え板１１の下にもぐり込ませるように、ＩＣカード２０の挿入方向先端部をＩＣカード収容凹部３３に斜めに挿入する。この状態では、ＩＣカード２０の挿入方向後端部は接点５３を介してばね部５２によって支えられており、ＩＣカード収容凹部３３からはみ出している。
【００５５】
次に、図５Ｃに示すように、回転カバー７によってＩＣカード２０全体がばね部５２のばね力に抗してＩＣカード収容凹部３３に収容されるまで回転カバー７を回転させる。このとき、回転カバー７の金属係合部７３はハウジング３の金属係合部用空間３２１ａに挿入され、回転カバー７のロック部７５はハウジング３のロック部用空間３２２ａに挿入された状態になる。
【００５６】
ＩＣカード２０全体がＩＣカード収容凹部３３に収容されると、ＩＣカード２０の下面に２列に形成されたパッド（図示せず）はそれぞれコンタクト５，６の接点５３，６３に接触する。
【００５７】
その後、図５Ｄに示すように、ＩＣカード２０がばね部５２のばね力によってＩＣカード収容凹部３３から押し出されないように、回転カバー７を第３フレーム構成部分３２３の方へ移動させる。このとき、ピン１３，１３も長孔３２１ｃ，３２２ｃの前端まで移動し、金属係合部７３は固定スイッチ片９１及び可動スイッチ片９２の接点９１ｃ，９２ｃの下側に、ロック部７５は規制部３２２ｂの下側に移動する。
【００５８】
最後に、回転カバー７から指を離す。その結果、コンタクト５のばね部５２のばね力によってＩＣカード２０を介して回転カバー７が上方へ持ち上げられ、金属係合部７３は可動スイッチ片９２のばね部９２ｂを変位させつつ接点９２ｃを固定スイッチ片９１の接点９１ｃと同じ高さまで持ち上げ、接点９１ｃと接点９２ｃとを短絡する。これにより、検出スイッチ９が閉じられ、ＩＣカード２０がカード用コネクタに収容されたことがプリント基板上の検出回路（図示せず）によって検出される。
【００５９】
また、コンタクト５のばね部５２のばね力によってＩＣカード２０を介して回転カバー７が上方へ持ち上げられると、回転カバー７のロック部７５はハウジング３の規制部３２２ｂによって係止され、回転カバー７はハウジング３にロックされる。また、回転カバー７の金属係合部７３は規制部３２１ｂにより支持された固定スイッチ片９１の接点９１ｃに係止され、回転カバー７はハウジング３にロックされる。したがって、金属係合部７３及び固定スイッチ片９１はスイッチ機構を構成するとともに、回転カバー７をハウジング３にロックするロック機構を構成している。
【００６０】
カード用コネクタに収容されたＩＣカード２０をカード用コネクタから抜き取るには、まず、回転カバー７をコンタクト５のばね部５２のばね力に抗して下方へ押圧する。回転カバー７が下方へ押圧されると、金属係合部７３が下方へ移動し、可動スイッチ片９２の接点９２ｃと固定スイッチ片９１の接点９１ｃとの短絡状態が解除され、検出スイッチ９が開く。
【００６１】
次に、回転カバー７を下方へ押圧したままピン１３がロック解除位置に至るまで回転カバー７をスライドさせ、回転カバー７のロック状態を解除する。
【００６２】
その後、回転カバー７から指を離す。その結果、ＩＣカード２０の挿入方向後端部はコンタクト５のばね部５２のばね力によってＩＣカード収容凹部３３から押し出される。
【００６３】
次に、回転カバー７を開位置まで回転させる。
【００６４】
最後に、ＩＣカード２０を抜き取る。
【００６５】
図６Ａは図１に示すカード用コネクタのＩＣカード収容凹部にＩＣカードが収容された状態で回転カバーが閉じられ、ハウジングにロックされた状態を示す側面図、図６Ｂは同カード用コネクタのＩＣカード収容凹部にＩＣカードが収容された状態で回転カバーが閉じられ、ハウジングにロックされていない状態を示す側面図、図７Ａは図１に示すカード用コネクタのＩＣカード収容凹部にＩＣカードが収容されていない状態で回転カバーが閉じられ、ハウジングにロックされた状態を示す側面図、図７Ｂは同カード用コネクタのＩＣカード収容凹部にＩＣカードが収容されていない状態で回転カバーが閉じられ、ハウジングにロックされていない状態を示す側面図である。
【００６６】
図６Ａに示すように、ＩＣカード収容凹部３３にＩＣカード２０が収容され、回転カバー７がハウジング３にロックされている場合、上述のように、金属係合部７３によって接点９１ｃと接点９２ｃとが短絡するので、ＩＣカード２０が検出される。
【００６７】
図６Ｂに示すように、ＩＣカード収容凹部３３にＩＣカード２０が収容され、回転カバー７がハウジング３にロックされていない場合、接点９１ｃと接点９２ｃとが短絡していないので、ＩＣカード２０が検出されない。この違いを利用して、ＩＣカード２０がＩＣカード収容凹部３３に収容されているとき、回転カバー７がロックされているか否かを検出することができる。
【００６８】
図１、７Ａに示すように、ＩＣカード収容凹部３３にＩＣカード２０が収容されずに回転カバー７がハウジング３にロックされた場合、コンタクト５の接点５３が回転カバー７の孔７１ａに入り、コンタクト５のばね力が回転カバー７に作用せず、回転カバー７は開位置の方に向かって回転しようとしない。このとき、金属係合部７３は可動スイッチ片９２の接点９２ｃの下にもぐりこんだままで、可動スイッチ片９２の接点９２ｃと固定スイッチ片９１の接点９１ｃとは短絡していないので、検出スイッチ９は開いたままであり、ＩＣカード２０がＩＣカード収容凹部３３に収容されていないことを検出することができる。
【００６９】
図１、７Ａに示す状態で、カード用コネクタを裏返した場合、回転カバー７の金属係合部７３は可動スイッチ片９２の接点９２ｃを介してばね部９２ｂによって支えられ、検出スイッチ９は開いた状態を保つ。このように、カード用コネクタの姿勢変化によって誤作動することが防止されている。
【００７０】
第１の実施形態によれば、検出スイッチ９がハウジング３の第１フレーム構成部分３２１に設けられているので、ハウジング３の厚さ方向で検出スイッチ９とＩＣカード収容凹部３３とが並ばず、カード用コネクタの厚さを薄くすることができる。
【００７１】
また、検出スイッチ９が固定スイッチ片９１と金属係合部７３によって駆動される可動スイッチ片９２とで構成され、回転カバー７がロック状態になったとき、固定スイッチ片９１と可動スイッチ片９２とが短絡するように構成されているので、一つのスイッチ機構でＩＣカード２０がＩＣカード収容凹部３３に収容されたか否かを検出するだけでなく、ＩＣカード２０がＩＣカード収容凹部３３に収容されたとき、回転カバー７がハウジング３にロックされたか否かも検出することができる。
【００７２】
また、カード用コネクタの姿勢変化（反転）によって検出スイッチ９が誤作動することを防止することができる。更に、ＩＣカード収容凹部３３にＩＣカード２０が収容されていても、回転カバー７がハウジング３にロックされていない場合は、検出スイッチ９は閉じない。したがって、検出スイッチ９の出力を検出することにより、ユーザーが回転カバー７のロック操作を誤り、ＩＣカード収容凹部３３からＩＣカード２０が飛び出したような場合の機器側の誤動作を防止することができる。
【００７３】
更に、回転カバー７のロック状態が解除された時点で解除検出信号を出力し、ＩＣカード２０とコンタクト５，６の接点５３，６３との接触状態が解除されるまでに、ＩＣカード２０とプリント基板（機器）との間で行われている作業を終了させるようにする。そうすれば回路の保護を実現できる。この実施形態では、金属係合部７３をハウジング３の前方へ移動させたときのその金属係合部７３の上方への回転を規制する規制部３２１ｂを設けたことにより、回転カバー７のロックを解除する動作を始めてから実際にＩＣカード２０とコンタクト５，６の接点５３，６３との接触状態が解除されるまでの間に、回転カバー７のスライド動作と回転動作の２動作が必要であり、ある程度の時間を確保することができるので、この時間を回路保護に有効に利用することができる。
【００７４】
図８Ａはこの発明の第２の実施形態に係るカード用コネクタであり、ＩＣカードを装着しない状態で回転カバーがロックされた状態を示す平面図、図８Ｂは同カード用コネクタの側面図、図８Ｃは図８ＡのVIIIＣ−VIIIＣ線に沿う断面図、図９Ａは図８Ａに示すカード用コネクタのＩＣカードを装着した状態で回転カバーのロックが解除された状態を示す平面図、図９Ｂは同カード用コネクタの側面図、図９Ｃは図９ＡのIＸＣ−IＸＣ線に沿う断面図である。
【００７５】
第１実施形態と共通する部分については同一符号を付してその説明を省略する。以下、第１実施形態との主な相違部分についてだけ説明する。第１実施形態との主な相違点は検出スイッチの構成である。
【００７６】
検出スイッチ２０９は固定スイッチ片（第１の端子部）２９１と可動スイッチ片（第２の端子部）２９２と係合部２７７とで構成されている。
【００７７】
固定スイッチ片２９１は埋込み部２９１ａとアーム部２９１ｂと接点２９１ｃとを有する。埋込み部２９１ａはハウジング２０３の第３フレーム構成部分２３２３に埋め込まれている。アーム部２９１ｂは埋込み部２９１ａの一端に結合されている。接点２９１ｃはアーム部２９１ｂの一端に結合されている。
【００７８】
可動スイッチ片２９２は固定部２９２ａと接触ばね部２９２ｂと接触ばね駆動部２９２ｃとを有する。可動スイッチ片２９２は固定スイッチ片２９１と上下に並ぶように設けられている。固定部２９２ａはハウジング２０３の第１フレーム構成部分２３２１に保持されている。接触ばね部２９２ｂは固定部２９２ａの一端に結合されている。接触ばね部２９２ｂの一部は第３フレーム構成部分２３２３に形成された凹部２３２３ａに収容されている。接触ばね部２９２ｂの残部は第１フレーム構成部分２３２１に形成された係合部用空間２３２１ａに弾性変形可能に収容されている。接触ばね駆動部２９２ｃは接触ばね部２９２ｂの一端に結合されている。接触ばね部２９２ｂは外力が加えられていないとき、固定スイッチ片２９１の接点２９１ｃに常時接触している。接触ばね駆動部２９２ｃは下方に湾曲しており、固定スイッチ片２９１の接点２９１ｃよりも下方に位置している。このように、検出スイッチ２０９はノーマルクローズタイプのスイッチである。
【００７９】
係合部２７７は回転カバー２０７の一方のアーム２７２の先端部に形成され、ハウジング２０３に向かって延びている。係合部２７７は導電性を有する必要はない。係合部２７７は、第１の実施形態で説明したように、ハウジング２０３に対しＩＣカード収容凹部を閉じた閉位置に回転させたとき、係合用空間２３２１ａに進入し、ロック位置に移動させたとき、接触ばね駆動部２９２ｃの下側に進入する。
【００８０】
図８Ａ〜８Ｃに示すように、ハウジング２０３にＩＣカード２０が収容されていないとき、回転カバー２０７を閉位置に回転し、ロック位置に移動しても、係合部２７７は可動スイッチ片２９２の接触ばね駆動部２９２ｃを駆動しないようになっている。このとき、固定スイッチ片２９１の接点２９１ｃは可動スイッチ片２９２から離れない。これにより、検出スイッチ２０９は閉じられたままであり、ハウジング２０３にＩＣカード２０が収容されていないことを検出する。
【００８１】
図９Ａ〜９Ｃに示すように、ハウジング２０３にＩＣカード２０が収容されているとき、回転カバー２０７を閉位置に回転し、ロック位置に移動すると、回転カバー２０７はＩＣカード２０を介してコンタクト５のばね部５３によって持ち上げられる。このとき、回転カバー２０７の係合部２７７は可動スイッチ片２９２の接触ばね駆動部２９２ｃを持ち上げる。その結果、可動スイッチ片２９２のばね部２９２ｂは固定スイッチ片の接点２９１ｃから離れる。これにより、検出スイッチ２０９は開き、ハウジング２０３にＩＣカード２０が収容されたことを検出する。なお、係合部２７７は、第１の実施形態の金属係合部７３と同様に、回転カバー２０７をロック位置に移動させたとき、第１のフレーム構成部分２３２１に設けた規制部２３２１ｂに係合し、ロック状態にする。また、図示していないが、回転カバー２０７の他方のアーム２７２の先端部にも、係合部２７７と同様の係合部が設けられており、第２のフレーム構成部分２３２２の規制部２３２２ｂに係合し、ロック状態にする。
【００８２】
第２実施形態は第１実施形態と同様の作用効果を奏する。
【００８３】
なお、第１、第２実施形態のカード用コネクタはＩＣカード２０用であるが、この発明はＩＣカード以外のカード型電子部品にも適用することができる。
【００８４】
また、上述の実施形態では接続対象物収容部はＩＣカード収容凹部３３であるが、接続対象物収容部の形状は凹部に限られず、例えば孔状でもよいし、接続対象物の４つの角部を位置決めするだけのものでもよい。
【００８５】
なお、検出スイッチ９，２０９の構成は色々考えられ、上述の実施形態のものに限られない。
【００８６】
また、検出スイッチ９，２０９の個数も２個以上あってもよい。この場合、検出スイッチの１つを回転カバー７，２０７のロック状態を検出する専用のスイッチとして用いることができる。
【図面の簡単な説明】
【００８７】
【図１】図１はこの発明の第１の実施形態に係るカード用コネクタの斜視図である。
【図２Ａ】図２Ａは図１に示すカード用コネクタの平面図である。
【図２Ｂ】図２Ｂは同カード用コネクタの左側面図である。
【図２Ｃ】図２Ｃは同右側面図である。
【図２Ｄ】図２Ｄは同底面図である。
【図３】図３は図１に示すカード用コネクタの回転カバーを開いた状態を示す斜視図である。
【図４】図４はハウジングの金属係合部用空間の周辺を下方から見た状態を示す拡大斜視図である。
【図５Ａ】図５Ａは図１に示すカード用コネクタの回転カバーを開いた状態を示す斜視図である。
【図５Ｂ】図５Ｂは図５Ａに示すカード用コネクタのＩＣカード収容凹部にＩＣカードの一端部を挿入した状態を示す斜視図である。
【図５Ｃ】図５Ｃは図５Ｂに示すカード用コネクタの回転カバーを閉じ、まだハウジングにロックしていない状態を示す斜視図である。
【図５Ｄ】図５Ｄは図５Ｃに示すカード用コネクタの回転カバーをハウジングにロックした状態を示す斜視図である。
【図６Ａ】図６Ａは図１に示すカード用コネクタのＩＣカード収容凹部にＩＣカードが収容された状態で回転カバーが閉じられ、ハウジングにロックされた状態を示す側面図である。
【図６Ｂ】図６Ｂは同カード用コネクタのＩＣカード収容凹部にＩＣカードが収容された状態で回転カバーが閉じられ、ハウジングにロックされていない状態を示す側面図である。
【図７Ａ】図７Ａは図１に示すカード用コネクタのＩＣカード収容凹部にＩＣカードが収容されていない状態で回転カバーが閉じられ、ハウジングにロックされた状態を示す側面図である。
【図７Ｂ】図７Ｂは同カード用コネクタのＩＣカード収容凹部にＩＣカードが収容されていない状態で回転カバーが閉じられ、ハウジングにロックされていない状態を示す側面図である。
【図８Ａ】図８Ａはこの発明の第２の実施形態に係るカード用コネクタであり、ＩＣカードを装着しない状態で回転カバーがロックされた状態を示す平面図である。
【図８Ｂ】図８Ｂは同カード用コネクタの側面図である。
【図８Ｃ】図８Ｃは図８ＡのVIIIＣ−VIIIＣ線に沿う断面図である。
【図９Ａ】図９Ａは図８Ａに示すカード用コネクタのＩＣカードを装着した状態で回転カバーのロックが解除された状態を示す平面図である。
【図９Ｂ】図９Ｂは同カード用コネクタの側面図である。
【図９Ｃ】図９Ｃは図９ＡのIＸＣ−IＸＣ線に沿う断面図である。
【符号の説明】
【００８８】
３，２０３  ハウジング
３３  ＩＣカード収容凹部（接続対象物収容部）
３２１ａ  金属係合部用空間
２３２１ａ  係合部用空間
３２１ｂ  規制部
５，６  コンタクト
５２  ばね部
７  回転カバー
７３  金属係合部
２７７  係合部
９，２０９  検出スイッチ
９１，２９１  固定スイッチ片（第１の端子部）
９２，２９２  可動スイッチ片（第２の端子部）
９１ｃ  接点
９２ｃ  接点
２０  ＩＣカード（カード型の接続対象物）
【図１】
0004716383.tif 000002
【図２Ａ】
0004716383.tif 000003
【図２Ｂ】
0004716383.tif 000004
【図２Ｃ】
0004716383.tif 000005
【図２Ｄ】
0004716383.tif 000006
【図３】
0004716383.tif 000007
【図４】
0004716383.tif 000008
【図５Ａ】
0004716383.tif 000009
【図５Ｂ】
0004716383.tif 000010
【図５Ｃ】
0004716383.tif 000011
【図５Ｄ】
0004716383.tif 000012
【図６Ａ】
0004716383.tif 000013
【図６Ｂ】
0004716383.tif 000014
【図７Ａ】
0004716383.tif 000015
【図７Ｂ】
0004716383.tif 000016
【図８Ａ】
0004716383.tif 000017
【図８Ｂ】
0004716383.tif 000018
【図８Ｃ】
0004716383.tif 000019
【図９Ａ】
0004716383.tif 000020
【図９Ｂ】
0004716383.tif 000021
【図９Ｃ】
0004716383.tif 000022